(57)【要約】【課題】硫黄分を含んだ微粉炭を硫黄と微粉炭に分ける。【解決手段】プラス帯電体１にプラスの電気を持たせ、硫黄分を含んだ微粉炭の中の硫黄分にマイナスの電気を持たせて回転するプラスの帯電体１に当て別の所でプラスの帯電体に付いた硫黄分を取り除く。【選択図】図１
2008274202.tif 000002
【特許請求の範囲】
【請求項１】
プラス帯電体（１）にマイナス帯電体（２）を接っして接面が擦る様に回転させ、硫黄分を含む微粉炭をベルトコンベア（３）に乗せて微粉炭に電流を流して硫黄分をマイナス帯電体にして微粉炭とプラス帯電体を接っしさせて静電気の力で微粉炭と硫黄分を分ける事を特徴とした硫黄分離器。
【発明の詳細な説明】
【技術分野】
【０００１】本発明は微粉炭の中の微粉炭と硫黄分を分ける事に関するものである。
【背景技術】
【０００２】風の力により微粉炭と硫黄分を分ける事を出願している。
【発明の開示】
【発明が解決しようとする課題】
【０００３】硫黄分を含む微粉炭を微粉炭と硫黄に分ける。
【課題を解決するための手段】
【０００４】プラス帯電体をプラの電気にして硫黄分を含む微粉炭の中の硫黄分をマイナスの電子にしてマイナスの電子を持った硫黄分を含んだ微粉炭を下から打ち上げて接触させるか又は下から吹き上げて接触させるか又は横から打ちこんで接触させるか又は横から吹き付けて接触させるか又は上から落して接触させて硫黄分がプラス帯電体に付き微粉炭が落ちるので硫黄分を別の場所で落して硫黄分と微粉炭を分ける事が出来る。
【発明の効果】
【０００５】硫黄分と微粉炭を分ける事が出来る。
【発明が実施するための最良の形態】
【０００６】ガラスのプラス帯電体１とゴムのマイナス帯電体２を摺接させて同方向に回転させ、硫黄分を含んだ微粉炭に電気を当てて硫黄分をマイナスの電気を持たせそれを羽根車４の回転により打ち上げて断面円状で回転しているガラスのプラス帯電体１に当てて硫黄分だけが付き微粉炭は落ち硫黄分を別の所でケレン５で落す。
【実施例】
【０００７】硫黄分を含む微粉炭の中にガラスのかたまりを入れてかきまぜてガラスだけ網によ除いて硫黄分にマイナスの電気を持たせる事もある。
【産業上の利用可能性】
【０００８】火力発電所に利用
【図面の簡単な説明】
【０００９】
【図１】硫黄分離器の全体図
【符号の説明】
【００１０】１  プラス帯電体
２  マイナス帯電体
３  ベルトコンベア
４  羽根車
５  ケレン
【図１】
2008274202.tif 000003
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
プラス帯電体（１）にマイナス帯電体（２）を接っして接面が擦る様に回転させ、硫黄分を含む微粉炭をベルトコンベア（３）に乗せて微粉炭に電流を流して硫黄分をマイナス帯電体にして微粉炭とプラス帯電体と接っしさせて静電気の力で微粉炭と硫黄分を分ける事を特徴とした硫黄分離器。
【請求項２】
プラス帯電体（１），（４３）を擦ってプラス電子体にして硫黄分を含んだ微粉炭の中の硫黄分をマイナス電子体にしし某方向からプラス帯電体に吹き付けて硫黄分だけプラス帯電体に付着させて別の所で硫黄分をプラス帯電体から取り去って微粉炭と分離する事を特徴とした請求項１記載の硫黄分離器。
【請求項３】
回転するプラス帯電体（１１），（２１），（３１）の１部にベルトコンベア（１３），（２３），（３３）の１部を接っしさせてプラス帯電体（１１），（２１），（３１）とベルトコンベア（１３），（２３），（３３）の間に硫黄分を含んだ微粉炭を入れてベルトコンベアの折り返し部より微粉炭を自然落下させて硫黄分だけプラス帯電体に付着させて微粉炭と硫黄分を分離する事を特徴とした請求項１記載の硫黄分離器。
【請求項４】
プラス帯電体をベルトコンベアにしてベルトコンベアをプラス電子体にしてその上に硫黄分を含んだ微粉炭を乗せてベルトコンベアの折り返し部より微粉炭を自然落下させ、硫黄分がベルトコンベアの下側に付着して別の所で落して微粉炭と硫黄分を分離する事を特徴とした請求項１記載の硫黄分離器。
【手続補正２】
【補正対象書類名】明細書
【補正対象項目名】全文
【補正方法】変更
【補正の内容】
【発明の詳細な説明】
【技術分野】
【０００１】本発明は微粉炭の中の微粉炭と硫黄分を分ける事に関するものである。
【背景技術】
【０００２】風の力により微粉炭と硫黄分を分ける事を出願している。
【発明の開示】
【発明が解決しようとする課題】
【０００３】硫黄分を含む微粉炭を微粉炭と硫黄に分ける。
【課題を解決するための手段】
【０００４】プラス帯電体をプラの電気にして硫黄分を含む微粉炭の中の硫黄分をマイナスの電子にしてマイナスの電子を持った硫黄分を含んだ微粉炭を下から打ち上げて接触させるか又は下から吹き上げて接触させるか又は横から打ちこんで接触させるか又は横から吹き付けて接触させるか又は上から落して接触させて硫黄分がプラス帯電体に付き微粉炭が落ちるので硫黄分を別の場所で落して硫黄分と微粉炭を分ける事が出来る。
【発明の効果】
【０００５】硫黄分と微粉炭を分ける事が出来る。
【発明が実施するための最良の形態】
【０００６】ガラスのプラス帯電体１とゴムのマイナス帯電体２を摺接させて同方向に回転させ、硫黄分を含んだ微粉炭に電気を当てて硫黄分をマイナスの電気を持たせそれを羽根車４の回転により打ち上げて断面円状で回転しているガラスのプラス帯電体１に当てて硫黄分だけが付き微粉炭は落ち硫黄分を別の所でケレン５で落す。
【実施例】
【０００７】硫黄分を含む微粉炭の中にガラスのかたまりを入れてかきまぜてガラスだけ網によ除いて硫黄分にマイナスの電気を持たせる事もある。【０００８】プラス帯電体１１にマイナス帯電体１２を接っしさせて摩擦させてプラス帯電体の１部にベルトコンベア１３の１部を接っしさせてその間に硫黄分を含んだ微粉炭の厚みを薄くして挟んでベルトコンベアの折り返し部より微粉炭を自然落下させプラス帯電体１１に付着した硫黄分を別の所で取り去る。【０００９】プラス帯電体４３（例）毛皮をベルトコンベアにしてベルトコンベアをマイナスの帯電体４２（例）エボナイトで接っしさせて摩擦させその下流側に硫黄分を含んだ微粉炭を乗せて厚の層を薄くしてベルトコンベアの折り返し点で微粉炭を自然落下させベルトコンベアの下側に付着した硫黄分を他の所で取り去る。
【産業上の利用分野】
【００１０】火力発電所に利用。
【図面の簡単な説明】
【００１１】
【図１】硫黄分離器の全体図
【図２】硫黄分離器の全体図
【図３】硫黄分離器の全体図
【図４】硫黄分離器の全体図
【図５】硫黄分離器の全体図
【符号の説明】
【００１２】プラス帯電体        １，１１，２１３１
マイナス帯電体      ２，１２，２２，３２，４２
ベルトコンベア      ３，１３，２３，３３，４３
羽根車              ４
ケレン              ５，１５，２５，３５
厚み調整車          １６，２６，３６，４６
ブラシ              ４７
【手続補正３】
【補正対象書類名】図面
【補正対象項目名】図２
【補正方法】追加
【補正の内容】
【図２】
2008274202.tif 000004
【手続補正４】
【補正対象書類名】図面
【補正対象項目名】図３
【補正方法】追加
【補正の内容】
【図３】
2008274202.tif 000005
【手続補正５】
【補正対象書類名】図面
【補正対象項目名】図４
【補正方法】追加
【補正の内容】
【図４】
2008274202.tif 000006
【手続補正６】
【補正対象書類名】図面
【補正対象項目名】図５
【補正方法】追加
【補正の内容】
【図５】
2008274202.tif 000007